(57)【要約】基材に対してコーティング印刷を行なう際に用いられるコーティング画像データにおける画像領域ごとに設定された、コーティング印刷の厚みに関するコーティング厚の情報を取得する情報取得手段と、前記コーティング画像データを用いて、前記画像領域ごとの前記コーティング厚の違いを色相の違いで表現した厚み表示画像データを生成する画像生成手段と、前記厚み表示画像データをディスプレイに表示させる表示制御手段と、を有する情報処理装置。
2019168205.tif 000002
【特許請求の範囲】
【請求項１】
基材に対してコーティング印刷を行なう際に用いられるコーティング画像データにおける画像領域ごとに設定された、コーティング印刷の厚みに関するコーティング厚の情報を取得する情報取得手段と、前記コーティング画像データを用いて、前記画像領域ごとの前記コーティング厚の違いを色相の違いで表現した厚み表示画像データを生成する画像生成手段と、前記厚み表示画像データをディスプレイに表示させる表示制御手段と、を有する情報処理装置。
【請求項２】
前記画像生成手段は、前記コーティング画像データを用いて、前記画像領域ごとの前記コーティング厚の違いを、赤色、緑色、黄色、および青色の少なくともいずれか２色で表現した厚み表示画像データを生成する請求項１に記載の情報処理装置。
【請求項３】
前記厚み表示画像データは、前記コーティング厚が増えるにつれて、青から緑、緑から黄色、黄色から赤へと変化する画像データである請求項１に記載の情報処理装置。
【請求項４】
前記厚み表示画像データは、前記コーティング厚の違いを、さらに無彩色と有彩色の違いで表現したデータである請求項１に記載の情報処理装置。
【請求項５】
前記厚み表示画像データは、前記コーティング厚が０の領域を、無彩色で表現したデータである請求項１に記載の情報処理装置。
【請求項６】
前記厚み表示画像データを生成するために、前記コーティング厚に対応する色を自由に設定可能である請求項１に記載の情報処理装置。
【請求項７】
画像データにおける領域と、前記コーティング厚との対応関係を調整するためのグラフィックユーザインタフェースを提供し、前記グラフィックユーザインタフェースに対するユーザの入力に基づいて、閾値とすべき画素値を変更する変更手段と、前記画像データにおいて、前記閾値より大きい画素値を有する画像領域と、前記閾値以下の画素値を有する画像領域とで、異なるコーティング厚を設定する設定手段と、をさらに備え、前記情報取得手段は、前記設定手段から、前記コーティング厚の情報を取得する請求項１乃至６のいずれか１項に記載の情報処理装置。
【請求項８】
前記設定手段で設定された画像領域に対して、前記設定手段で設定されたコーティング厚でコーティング印刷を行なうように前記印刷装置を制御する印刷制御手段と、をさらに備えた請求項７に記載の情報処理装置。
【請求項９】
基材に対してコーティング印刷を行なう際に用いられるコーティング画像データにおける画像領域ごとに設定された、コーティング印刷の厚みに関するコーティング厚の情報を取得する情報取得手段と、前記コーティング画像データを用いて、前記画像領域ごとの前記コーティング厚の違いを色相の違いで表現した厚み表示画像データを生成する画像生成手段と、前記厚み表示画像データをディスプレイに表示させる表示制御手段と、前記コーティング画像データに基づいて基材にコーティング印刷を行うインクジェット記録手段と、を有するインクジェット記録装置。
【請求項１０】
画像データにおける領域ごとに設定された、基材に対してコーティング印刷を行なう際の厚みに関するコーティング厚の情報を取得する取得ステップと、前記画像データを用いて、前記コーティング厚の違いを色相の違いで表現した厚み表示画像データを生成する画像生成ステップと、前記厚み表示画像データをディスプレイに表示させる表示制御ステップと、を含む情報処理方法。
【請求項１１】
画像データにおける領域ごとに設定された、基材に対してコーティング印刷を行なう際の厚みに関するコーティング厚の情報を取得する取得ステップと、前記画像データを用いて、前記コーティング厚の違いを色相の違いで表現した厚み表示画像データを生成する画像生成ステップと、前記厚み表示画像データをディスプレイに表示させる表示制御ステップと、をコンピュータに実行させる情報処理プログラム。
【発明の詳細な説明】
【技術分野】
【０００１】
本発明は、印刷システム、情報処理装置、インクジェット記録装置、印刷制御方法、印刷制御プログラムに関する。
【背景技術】
【０００２】
上記技術分野において、特許文献１には、紫外線硬化樹脂を用いて厚盛り印刷（ｅｍｂｏｓｓ  ｐｒｉｎｔｉｎｇ）する技術が開示されている。
【先行技術文献】
【特許文献】
【０００３】
【特許文献１】特許５８２４７１２号公報
【発明の概要】
【発明が解決しようとする課題】
【０００４】
しかしながら、上記文献に記載の技術では、印刷前に、どの部分をどの程度厚く印刷するのか、明確に画像表示されないため、微妙な厚みの違いを作業者が事前確認することが難しかった。
本発明の目的は、上述の課題を解決する技術を提供することにある。
【課題を解決するための手段】
【０００５】
上記目的を達成するため、本発明に係る情報処理装置は、基材に対してコーティング印刷を行なう際に用いられるコーティング画像データにおける画像領域ごとに設定された、コーティング印刷の厚みに関するコーティング厚の情報を取得する情報取得手段と、前記コーティング画像データを用いて、前記画像領域ごとの前記コーティング厚の違いを色相の違いで表現した厚み表示画像データを生成する画像生成手段と、前記厚み表示画像データをディスプレイに表示させる表示制御手段と、を有する。
上記目的を達成するため、本発明に係るインクジェット記録装置は、基材に対してコーティング印刷を行なう際に用いられるコーティング画像データにおける画像領域ごとに設定された、コーティング印刷の厚みに関するコーティング厚の情報を取得する情報取得手段と、前記コーティング画像データを用いて、前記画像領域ごとの前記コーティング厚の違いを色相の違いで表現した厚み表示画像データを生成する画像生成手段と、前記厚み表示画像データをディスプレイに表示させる表示制御手段と、前記コーティング画像データに基づいて基材にコーティング印刷を行うインクジェット記録手段と、を有する。
上記目的を達成するため、本発明に係る情報処理方法は、画像データにおける領域ごとに設定された、基材に対してコーティング印刷を行なう際の厚みに関するコーティング厚の情報を取得する取得ステップと、前記画像データを用いて、前記コーティング厚の違いを色相の違いで表現した厚み表示画像データを生成する画像生成ステップと、前記厚み表示画像データをディスプレイに表示させる表示制御ステップと、を含む。
上記目的を達成するため、本発明に係る情報処理プログラムは、画像データにおける領域ごとに設定された、基材に対してコーティング印刷を行なう際の厚みに関するコーティング厚の情報を取得する取得ステップと、前記画像データを用いて、前記コーティング厚の違いを色相の違いで表現した厚み表示画像データを生成する画像生成ステップと、前記厚み表示画像データをディスプレイに表示させる表示制御ステップと、をコンピュータに実行させる。
【発明の効果】
【０００６】
本発明によれば、画像中におけるコーティング印刷の度合いを作業者が明確に確認できる。
【図面の簡単な説明】
【０００７】
図１は、本発明の第１実施形態に係る情報処理装置の構成を示すブロック図である。
図２は、本発明の第２実施形態に係る印刷システムの構成を示すブロック図である。
図３は、本発明の第２実施形態に係る印刷システムによる印刷例を示す図である。
図４は、本発明の第２実施形態に係るインクジェット記録装置の内部構成を示す図である。
図５は、本発明の第２実施形態に係るインクジェット記録装置の要部の詳細を模式的に示す図である。
図６は、本発明の第２実施形態に係るインクジェット記録装置で用いられる下地画像およびレジストレーションマークが印刷された基材の一例を示す図である。
図７は、本発明の第２実施形態に係るインクジェット記録装置の要部の詳細を模式的に示す図である。
図８は、本発明の第２実施形態に係るインクジェット記録装置の電子制御部を中心とする電気的構成を示す概略図である。
図９は、本発明の第２実施形態に係るインクジェット記録装置を用いて印刷した印刷物の一例を示した図である。
図１０は、本発明の第２実施形態に係るインクジェット記録装置を用いて印刷した印刷物の一例を示した拡大図である。
図１１は、本発明の第２実施形態に係る情報処理装置の機能構成を示すブロック図である。
図１２は、本発明の第２実施形態に係る情報処理装置によって表示されるユーザインタフェースを示す図である。
図１３は、本発明の第２実施形態に係る情報処理装置によって表示されるユーザインタフェースを示す図である。
図１４は、本発明の第２実施形態に係る情報処理装置の処理の流れを説明するフローチャートである。
図１５は、本発明の第２実施形態に係る情報処理装置によって表示されるユーザインタフェースを示す図である。
図１６は、本発明の第２実施形態に係る情報処理装置によって表示されるユーザインタフェースを示す図である。
図１７は、本発明の第２実施形態に係る情報処理装置によって表示されるユーザインタフェースを示す図である。
図１８は、本発明の第２実施形態に係る情報処理装置によって表示されるユーザインタフェースを示す図である。
図１９は、本発明の第２実施形態に係る情報処理装置によって表示されるユーザインタフェースを示す図である。
図２０は、本発明の第２実施形態に係る情報処理装置によって表示されるユーザインタフェースを示す図である。
図２１は、本発明の第２実施形態に係る情報処理装置によって表示されるユーザインタフェースを示す図である。
図２２は、本発明の第２実施形態に係る情報処理装置によって表示されるユーザインタフェースを示す図である。
図２３は、本発明の第３実施形態に係るインクジェット記録装置の外観を示す図である。
図２４は、図９のカラー図面である。
図２５は、図１０のカラー図面である。
図２６は、図１２の一部をカラーで示した図面である。
図２７は、図１３の一部をカラーで示した図面である。
図２８は、図１５の一部をカラーで示した図面である。
図２９は、図１６の一部をカラーで示した図面である。
図３０は、図１７の一部をカラーで示した図面である。
図３１は、図１８の一部をカラーで示した図面である。
図３２は、図１９の一部をカラーで示した図面である。
図３３は、図２０の一部をカラーで示した図面である。
図３４は、図２１の一部をカラーで示した図面である。
図３５は、図２２の一部をカラーで示した図面である。
【発明を実施するための形態】
【０００８】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
［第１実施形態］
本発明の第１実施形態としての情報処理装置１００について、図１を用いて説明する。情報処理装置１００は、基材に対してコーティング印刷を行なう印刷装置１２０を制御する装置である。
図１に示すように、情報処理装置１００は、情報取得部１０１と画像生成部１０２と表示制御部１０３とを含む。
情報取得部１０１は、基材に対してコーティング印刷を行なう際に用いられるコーティング画像データにおける画像領域ごとに設定された、コーティング印刷の厚みに関するコーティング厚の情報を取得する。
画像生成部１０２は、コーティング画像データを用いて、画像領域ごとの前記コーティング厚の違いを色相の違いで表現した厚み表示画像データを生成する。
表示制御部１０３は、厚み表示画像データをディスプレイ１１０に表示させる。
以上の構成によれば、ユーザ（作業者）は、より明確にコーティング厚の違いを把握することができる。
［第２実施形態］
＜印刷システムの構成＞  次に本発明の第２実施形態に係る情報処理装置２０１について、図２以降を用いて説明する。まず、図２は、情報処理装置２０１を利用して印刷を行なう印刷システム２００の概略構成を示している。印刷システム２００は、情報処理装置２０１とインクジェット記録装置２０３とをネットワーク２０２を介して接続したシステムである。インクジェット記録装置２０３は、通常のインク以外に、活性エネルギー線硬化性インクを用いて印刷を行なうことが可能な機構を有している。ユーザ２０４は、情報処理装置２０１がディスプレイ２０５に表示させた画面を用いて、ネットワーク２０２を介してインクジェット記録装置２０３を制御し、所望の画像記録を行なうことができる。本実施形態に係る活性エネルギー線硬化性インクは、例えば、活性エネルギー線硬化性モノマーおよび／または活性エネルギー線硬化性オリゴマーと、光重合開始剤と、表面張力調整剤とを含有し、紫外線等の活性エネルギー線の照射により硬化する性質を有する。
＜印刷物の構成＞  図３は、活性エネルギー線硬化性インクを用いて印刷した印刷物３００の斜視図である。図３に示されるように、印刷物３００は、紙などの基材３０３上に、下地画像３０２およびコーティングプリント画像３０１を施したものである。
活性エネルギー線硬化性インクによるコーティングプリント画像３０１（別名オーバープリント画像）は、基材３０３上に、垂直方向に盛り上った立体的形状を備えて形成される。ここでは、例として、コーティングプリント画像３０１は、アルファベットＤの形状を有している。図３に示されるように、コーティングプリント画像３０１は、何も印刷されていない基材３０３の表面に直接印刷されていてもよいし（３１０）、基材３０３にあらかじめ施された下地画像３０２の上に印刷されていてもよい（３２０）。
コーティングプリント画像３０１は、基材３０３を平面から視た場合において、下地画像３０２と略同一位置に同一形状に形成されてもよいし（３２０）、意図的に下地画像３０２とはずれた位置に異なる形状で形成されてもよい（３３０）。
このようなコーティングプリントによれば、基材に印刷された下地画像にマット感や、ツヤ感を加えて意匠的に際立たせるという効果の他、コーティングそのものの立体的な意匠によって、従来の平面的なプリントとは異なる美感を起こさせるという効果がある。
なお、基材３０３としては、普通紙、アート紙、写真紙、名刺用紙、はがき、コート紙、マットコート紙、上質紙、特殊紙等の印刷紙、ポリカーボネート、硬質塩ビニル、軟質塩ビニル、ポリスチレン、発砲スチロール、ＰＭＭＡ、ポリプロピレン、ポリエチレン、ＰＥＴなどのプラスチック基材、これらのプラスチック基材を貼り合わせたラミネートフィルム、これらのプラスチック基材を混合または変性させた材料、ガラス、ステンレスなどの金属基材、木材を例示することができるが、これに制限されるものではない。
また、活性エネルギー線としては、紫外線、電子線等を用いることができる。
＜インクジェット記録装置の構成＞  図４は、本実施形態のインクジェット記録装置２０３の内部を模式的に示す図である。インクジェット記録装置２０３は、例えば、あらかじめ下地画像が印刷された基材に対し、その下地画像にコーティングするように活性エネルギー線硬化性インクによるコーティングを形成するコーティング印刷処理を実行できる。また、インクジェット記録装置２０３は、印刷による画像形成がされていない基材に対しても、活性エネルギー線硬化性インクからなるコーティングを形成する処理を実行する。
インクジェット記録装置２０３は、搬送エレメント４０１、コーティング画像記録装置４０２およびスタッカ４０３を備える。搬送エレメント４０１は、基材テーブル４１１および基材供給機構４１２を有する。基材テーブル４１１には、例えば、別の電子写真式記録装置にてあらかじめ下地画像が印刷された基材が積載される。なお下地印刷は電子写真式に限らず、インクジェット式、オフセット式等、どのような印刷方式であってもよい。
基材テーブル４１１は、昇降可能に構成され、積載された基材のうち最上位に位置する基材が基材供給機構４１２によって供給される。このように、搬送エレメント４０１は、基材テーブル４１１、基材供給機構４１２を備えた基材を搬送する搬送エレメントである。
搬送エレメント４０１によって搬送される基材は、画像を記録することができる材料であれば特に制限されるものではないが、紙、表面加工された紙等の用紙、プラスチック板、金属薄膜等であればよい。
基材供給機構４１２により送り出された基材は、搬送路４１３に沿って搬送される。搬送路４１３の下流側部分に沿ってコーティング画像記録装置４０２が設けられている。コーティング画像記録装置４０２には、搬送路４１３に沿って搬送された基材を搬送するベルト搬送機構４２１が設けられている。ベルト搬送機構４２１は、ベルトに形成された孔を通じたエアの吸引力によって基材を搬送面上に吸着しながら搬送する。ベルト搬送機構４２１の上方には、基材の搬送方向上流側から、画像読取装置４２２、インクジェットヘッドユニット４２３および活性エネルギー線照射装置４２４が設けられている。
コーティング画像記録装置４０２の下流側には排出路４２６が接続されている。ベルト搬送機構４２１から搬送された基材は、排出路４２６に送り込まれる。排出路４２６に送り込まれた基材は、スタッカ４０３に搬出される。スタッカ４０３は、搬送路４３１および基材蓄積部４３２を有する。排出路４２６から搬出された基材は、搬送路４３１を経て、基材蓄積部４３２に排出され蓄積される。
なお、搬送エレメント４０１に代えて、下地画像を印刷するためのプリンタをコーティング画像記録装置４０２に直接接続してもよい。また、スタッカ４０３に代えて、送り出される基材を切断したり、綴じたりする後処理を行う装置をコーティング画像記録装置４０２に接続してもよい。
インクジェット記録装置２０３は、また、電子制御部４０４を有する。電子制御部４０４は、各種演算処理を実行するＣＰＵ、各種制御プログラムを格納するＲＯＭ、データ格納やプログラム実行のためのワークエリアとして利用されるＲＡＭを有する。電子制御部４０４は、インクジェット記録装置２０３内に設けられたアクチュエータの作動などを制御する。これにより、基材に向けて、活性エネルギー線硬化性インクをインクジェットヘッドユニット４２３から吐出して、コーティング印刷処理を実行する。
同様に、電子制御部４０４は、インクジェットヘッドユニット４２３から印刷による画像形成がされていない基材に向けて、活性エネルギー線硬化性インクを吐出して、当該インクからなるコーティング層を形成する処理を実行する。
インクジェット記録装置２０３には、操作パネル４２７が設けられており、ユーザは、この操作パネル４２７を介した操作入力により、コーティング印刷処理の各種設定を行うことができる。なお、変形例としては、情報処理装置２０１のディスプレイ、マウス、キーボードを操作パネルとして機能させてもよく、その情報処理装置２０１を電子制御部４０４として機能させてもよい。
図５は、インクジェット記録装置２０３の要部であるコーティング画像記録装置４０２の詳細を模式的に示す図である。図５は、その側面図である。図５に示されるように、コーティング画像記録装置４０２は、ベルト搬送機構４２１の一部として、基材３０３を搬送する複数の搬送ローラ５２１を備える。図６に示すとおり、この基材３０３としては、下地画像３０２と、その下地画像の位置を特定するための基準となるレジストレーションマーク６０１とが印刷されているものを用意する。レジストレーションマーク６０１は、基材３０３の両長辺に沿って一直線上に等間隔に配置されており、短辺方向に対称位置に配置されている。
図５に示すとおり、画像読取装置４２２の上流側には、その回転数から基材３０３の搬送量を算出するためのエンコーダ５２２（ロータリエンコーダ）が設置されている。また、画像読取装置４２２とエンコーダ５２２との間には、搬送エレメント４０１から搬送されてきた基材３０３の先端を検出するための入基材センサ５２３が配設されている。
電子制御部４０４は、入基材センサ５２３による基材３０３の検出をトリガとして、エンコーダ５２２の出力パルスを取得し、基材３０３の搬送位置を算出する。そして、基材３０３の位置に基づいて、画像読取装置４２２の撮像タイミング、インクジェットヘッドユニット４２３による活性エネルギー線硬化性インクの吐出タイミング、活性エネルギー線照射装置４２４による活性エネルギー線の照射タイミングを設定する。
図７に示されるように、画像読取装置４２２は、ベルト搬送機構４２１の上方にて基材の幅方向に離間して配置される一対のイメージセンサ７２４、７２５を含む。これらのイメージセンサ７２４、７２５は、ＣＣＤ（Ｃｈａｒｇｅ  Ｃｏｕｐｌｅｄ  Ｄｅｖｉｃｅ）センサが好ましいが、ＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）センサ、その他のイメージセンサにて構成してもよい。
イメージセンサ７２４は、基材３０３の幅方向（図中縦方向）の一端側に固定され、イメージセンサ７２５は、基材３０３の幅方向の他端側において、基材３０３の幅方向に可動に設けられている。すなわち、イメージセンサ７２５を基材の幅方向に移動することにより、基材３０３の大きさに応じてイメージセンサの間隔を調整することができる。イメージセンサ７２４、７２５は、エンコーダ５２２によって算出される基材３０３の位置に基づき、所定のタイミングで撮像する。所定のタイミングは、記憶部８４４に記憶されたレジストレーションマーク６０１の設計位置に基づいて、事前に決定されている。この撮像画像中に含まれるレジストレーションマーク６０１の位置（実測位置）に基づいて、基材３０３における下地画像３０２の印刷位置の、設計位置からの「ずれ」を認識することができる。インクジェットヘッド５２６による活性エネルギー線硬化性インクの吐出位置を、認識した「ずれ」に応じて修正することにより、下地画像３０２と、コーティングプリント画像とを正しく位置合わせすることが可能となる。なお、基材３０３がイメージセンサ７２４、７２５を通過中に、イメージセンサ７２４、７２５により連続的に撮像した撮像画像から、エンコーダ５２２によって算出される基材３０３の位置と、レジストレーションマーク６０１の設計位置に基づいて、レジストレーションマーク６０１の実測位置を取得すべき画像を選択してもよい。
なお、図６ではレジストレーションマーク６０１が、基材の両長辺に沿って一直線上に等間隔で配置されているが、この配置は一例であり、必ずしも等間隔でなくても、一直線上でなくてもよい。要するに、イメージセンサ７２４、７２５で読み取ることができ、あらかじめ記憶した設計位置と比較し、「ずれ」を認識できればよい。
インクジェットヘッドユニット４２３は、基材３０３に対して活性エネルギー線硬化性インクを吐出する３つのインクジェットヘッド５２６を備える。これら３個のインクジェットヘッド５２６は、いわゆる「記録ヘッド」として機能する。インクジェットヘッド５２６から吐出された活性エネルギー線硬化性インクは、活性エネルギー線照射装置４２４から照射される活性エネルギー線によって、硬化する。
インクジェットヘッドユニット４２３は、その温度を一定に保つためのヒータ５２７を備えている。インクジェットヘッドユニット４２３が備えているヒータ５２７の配置は、インクジェットヘッドユニット４２３の温度を一定に保つことができれば、特に制限されるものではない。つまり、ヒータ５２７をインクジェットヘッドユニット４２３の外部に設置しても、その内部に設置してもよいし、内部と外部の両方に設置してもよい。
インクジェットヘッドユニット４２３は、ベルト搬送機構４２１の上方に配置されている。インクジェットヘッドユニット４２３には、ベルト搬送機構４２１によって、搬送される基材の搬送直交方向に各々ノズルが均等に並ぶようにインクジェットヘッド５２６が列設されている。さらに、インクジェットヘッド５２６は、隣接するインクジェットヘッド５２６との間において、隙間が発生しないようにオーバーラップして配置されている。
インクジェットヘッド５２６の数は３つに限定されるものではなく、２つでもよいし、４つ以上設けてもよい。一方で、インクジェットヘッド５２６は、基材３０３の幅方向に長い単一のインクジェットヘッドであってもよい。また、インクジェットヘッド５２６が有する吐出孔は、基材の幅方向と所定角度傾いて配置されていてもよい。すなわち、インクジェットヘッド５２６が有する吐出孔は、基材の搬送方向と非平行である所定方向に並ぶように配置されてもよい。また、インクジェットヘッド５２６としては、２ライン以上を有し、同時に活性エネルギー線硬化性インクを吐出するインクジェットヘッドが用いられてもよい。
活性エネルギー線照射装置４２４は、上流側から搬送された基材３０３上に塗布された活性エネルギー線硬化性インクに対して活性エネルギー線を照射することにより、そのインク層を硬化させる。
図８は、インクジェット記録装置２０３の電子制御部４０４を中心とする電気的構成を示す機能ブロック図である。これらの機能は、各種演算処理を実行するＣＰＵ（Ｃｅｎｔｒａｌ  Ｐｒｏｃｅｓｓｉｎｇ  Ｕｎｉｔ）、各種制御プログラムを格納するＲＯＭ（Ｒｅａｄ  Ｏｎｌｙ  Ｍｅｍｏｒｙ）、データ格納やプログラム実行のためのワークエリアとして利用されるＲＡＭ（Ｒａｎｄｏｍ  Ａｃｃｅｓｓ  Ｍｅｍｏｒｙ）などのハードウェア、およびソフトウェアの連携によって実現される。したがって、これらの機能ブロックはハードウェアおよびソフトウェアの組合せによって様々な形で実現することができる。
電子制御部４０４は、データ取得部８４１、補正部８４２、吐出制御部８４３、および記憶部８４４を有する。
データ取得部８４１は、通信ユニット８０１を介して情報処理装置２０１から、コーティング画像データ（色、位置、形状、厚さに関する情報を含む）を取得する。
記憶部８４４は、データ取得部８４１が取得した下地画像の画像データ（いわゆるＣＭＹＫデータ）およびコーティングプリント画像の画像データ（いわゆるニス版、特色版）を記憶する。記憶部８４４は、また、複数のレジストレーションマーク６０１の基材３０３上の印刷位置とその形状に関する情報を記憶する。
吐出制御部８４３は、記憶部８４４に記憶されたコーティング画像データを参照して、下地画像が施された基材３０３上に活性エネルギー線硬化性インクをコーティングするように当該インクの吐出量を制御する。
補正部８４２は、イメージセンサ７２４、７２５によるレジストレーションマーク６０１の読取り位置および読取り形状と、事前に記憶部８４４に記憶した印刷位置および形状とを比較することにより、基材３０３の下地画像の印刷ずれを検出する。補正部８４２は、記憶部８４４から読出したレジストレーションマークの位置情報（設計位置）と、画像読取装置４２２で読み取った実際のレジストレーションマークの位置情報（実測位置）とに基づいてコーティング画像データを補正する。
補正部８４２は、下地画像の設計値と下地画像の実測値との差分をレジストレーションマークの位置変化に基づいて算出し、コーティング画像データに対して、その差分を補填するための補正処理を実行する。
吐出制御部８４３は、補正部８４２で補正された後のコーティング画像データに基づいて、インクジェットヘッドユニット４２３の活性エネルギー線硬化性インクの吐出タイミングと吐出量との制御を実行する。
電子制御部４０４には、通信ユニット８０１を介して情報処理装置２０１から取得した信号および、操作パネル４２７からの信号が入力される。この操作パネル４２７には、コーティング印刷処理を開始させるためのスタートスイッチ、コーティング印刷処理を停止させるためのストップスイッチ等、種々のスイッチが含まれる。
電子制御部４０４には、また、エンコーダ５２２、入基材センサ５２３、イメージセンサ７２４、７２５等からの検出信号が入力される。電子制御部４０４は、それらのスイッチ・センサ入力に基づいて、給基材制御、搬送制御、活性エネルギー線硬化性インクの吐出制御、活性エネルギー線の照射制御等のための所定の演算処理を実行する。また、電子制御部４０４は、搬送エレメント４０１、ベルト搬送機構４２１、インクジェットヘッドユニット４２３、活性エネルギー線照射装置４２４等に制御指令信号を出力する。
図９は、インクジェット記録装置２０３を用いて形成された印刷物９００の一例を示す図である。図１０は、図９の一部を拡大した拡大図である。
図１０に示すとおり、印刷物９００は、下地画像と略同一形状を維持しつつ、垂直方向に盛り上がった立体的形状を備えたコーティングプリント画像１００１と、下地画像と異なる形状および位置に形成されたコーティングプリント画像１００２とを含む。
＜情報処理装置の構成＞  図１１は、情報処理装置２０１の内部構成を示すブロック図である。情報処理装置２０１は、ＧＵＩ（Ｇｒａｐｈｉｃ  Ｕｓｅｒ  Ｉｎｔｅｒｆａｃｅ）表示制御部１１０１、画像データ指定部１１０２、プレビュー画像生成部１１０３、画像編集アプリケーション呼出部１１０４、レジストレーションマークデータ生成部１１０５を有する。また情報処理装置２０１は、さらに、パラメータ入力部１１０６、厚み上限設定部１１０７、厚み階調決定部１１０８、閾値変更部１１１１、厚み設定部１１１２、表示制御部１１１３およびジョブ送信部１１１４を備える。
これらの機能は、各種演算処理を実行するＣＰＵ（Ｃｅｎｔｒａｌ  Ｐｒｏｃｅｓｓｉｎｇ  Ｕｎｉｔ）、各種制御プログラムを格納するＲＯＭ（Ｒｅａｄ  Ｏｎｌｙ  Ｍｅｍｏｒｙ）、データ格納やプログラム実行のためのワークエリアとして利用されるＲＡＭ（Ｒａｎｄｏｍ  Ａｃｃｅｓｓ  Ｍｅｍｏｒｙ）などのハードウェア、およびソフトウェアの連携によって実現される。したがって、これらの機能ブロックはハードウェアおよびソフトウェアの組合せによって様々な形で実現することができる。
情報処理装置２０１は、以上の機能を用いて、画像データにおける領域と、基材に対するコーティング印刷の厚み（コーティング厚）と、の対応関係を調整するためのグラフィックユーザインタフェースを提供し、インクジェット記録装置２０３でのコーティング厚を調整する。図１２は、グラフィックユーザインタフェース１２００の一例を示す図である。
ＧＵＩ表示制御部１１０１は、図１２に示すユーザインタフェース１２００をディスプレイ２０５に提供する。
画像データ指定部１１０２は、ユーザインタフェース１２００に対するユーザの入力に従い、画像データベース１１２０に格納された画像データから、コーティング印刷用の画像データ（コーティング画像データ）を指定する。
プレビュー画像生成部１１０３は、指定されたコーティング画像データを用いて、画像領域ごとの前記コーティング厚の違いを色相の違いで表現した厚み表示画像データを生成する。ＧＵＩ表示制御部１１０１は、プレビュー画像生成部１１０３が生成した厚み表示画像データをディスプレイ２０５に表示させる。
画像編集アプリケーション呼出部１１０４は、ユーザインタフェース１２００に対するユーザの入力に従い画像データ指定部１１０２によって指定された画像データを編集するためのアプリケーションを呼出す。
レジストレーションマークデータ生成部１１０５は、ユーザインタフェース１２００に対するユーザの入力に従い、指定された画像データから、レジストレーションマークデータを生成する。
パラメータ入力部１１０６は、ユーザインタフェース１２００を介して、様々なパラメータを入力する。
厚み上限設定部１１０７は、パラメータ入力部１１０６が入力したコーティング印刷の厚みの上限値（例えば２０μｍ〜８０μｍ）を設定する。
厚み階調決定部１１０８は、厚み上限設定部１１０７が設定したコーティング厚の上限値に応じて、コーティング印刷の厚みの階調を決定する。例えば、コーティング厚の上限値が２０μｍであれば、コーティング無し（０μｍ）と２０μｍの２階調となる。例えば、コーティング厚の上限値が８０μｍであれば、コーティング無し（０μｍ）、２０μｍ、３０μｍ、４０μｍ、５０μｍ、６０μｍ、７０μｍ、８０μｍの８階調となる。１０μｍは本実施形態では設定がないが、需要に応じて１０μｍを含むように設定してもよいし、より厚い９０μｍを含むように設定してもよい。
閾値変更部１１１１は、パラメータ入力部１１０６の入力に応じて、コーティング厚調整用の閾値（画素値）を変更する。
厚み設定部１１１２は、画像データ指定部１１０２が指定した画像データにおいて、閾値変更部１１１１が設定した閾値以上の画素値を有する画像領域と、その閾値より少ない画素値を有する画像領域とで、異なるコーティング厚を設定する。すなわち、厚み設定部１１１２は、基材に対してコーティング印刷を行なう際に用いられるコーティング画像データにおける画像領域ごとに設定された、コーティング印刷の厚みに関するコーティング厚の情報を取得する。
コスト算出部１１１３は、厚み設定部１１１２で設定されたコーティング厚で画像データに対応するコーティング印刷を行なった場合のコストを算出する。
ジョブ送信部１１１４は、厚み設定部１１１２で設定された画像領域に対して、厚み設定部１１１２で設定されたコーティング厚でコーティング印刷を行なうようにインクジェット記録装置２０３を制御する。
＜ユーザインタフェースの構成＞  図１２は、ユーザインタフェース１２００の一例を示す図である。用紙サイズボタン１２０１は、不図示の用紙サイズ設定ダイアログボックスを立ち上げ、用紙サイズリストから用紙サイズを選択する、またはカスタムサイズを設定するためのボタンである。
画像データボタン１２０２は、画像データを指定するためのボタンであり、このボタンの選択により、画像データ指定部１１０２は、情報処理装置２０１の画像データベース１１２０に格納された画像データから、コーティング印刷用の画像データを指定する。
レジストレーションマークデータ生成ボタン１２０３が選択されると、レジストレーションマークデータ生成部１１０５が、不図示のレジストレーションマーク生成ダイアログボックスを立ち上げ、入力される座標情報から、レジストレーションマークを生成して保存する。既にレジストレーションマークデータが、画像データベース１１２０に格納されている場合には、レジストレーションマークデータボタン１２０４を選択することにより、レジストレーションマークデータを指定することができる。
補正モードボタン１２０５は、レジストレーションマークを用いて、コーティング印刷の位置を補正する際の補正モードを指定するためのボタンである。プルダウンメニューにより、「リアルタイム」、「先端後端」、「先端」、「手動」を選択できる。リアルタイム補正では、搬送されてくる基材に印刷されている全てのレジストレーションマークを読んで、画像データ中のレジストレーションマークデータと照合する。先端／後端補正では、搬送されている基材の先端と後端のレジストレーションマークだけを読み、画像データ中のレジストレーションマークデータと照合する。先端補正では、搬送される基材の先端のレジストレーションマークだけを読み、画像データ中のレジストレーションマークデータと照合する。「手動」は、搬送される基材にレジストレーションマークが印刷されていない場合に使用する。
仕上がり厚さ設定用スライドバー１２０６は、コーティング厚の上限を設定するためのスライドバーであり、ハンドル１２６１を左右に移動させて、コーティング厚の上限の変更することができる。ハンドル１２６１の位置に応じて、厚み上限設定部１１０７は、コーティング厚の上限値（例えば２０μｍ〜８０μｍ）を設定し、厚み階調決定部１１０８は、コーティング印刷の厚みの階調を決定する。厚み階調決定部１１０８が、２階調から８階調までの７つの選択肢から階調を決定すると、その結果が厚み階調表示部１２０９に表示される。図１２では、ハンドル１２６１が上限値を５０μｍに設定する位置にあり、５階調のため、０μｍ、２０μｍ、３０μｍ、４０μｍおよび５０μｍの厚みでコーティング印刷を行なう。厚み階調表示部１２０９は、カラーでのプレビュー画面における厚みと色との対応をも示している。具体的には、５０μｍ厚の領域を赤色の領域１２０９ｒで、４０μｍ厚の領域を黄色の領域１２０９ｙで、３０μｍ厚の領域を緑色の領域１２０９ｇで、２０μｍ厚の領域を青色の領域１２０９ｂで、コーティング印刷を行なわない領域を白色の領域１２０９ｗで表示することを表わしている（なお、図１２では、色のついた領域をハッチングで示し、ハッチングの種類と色相とを対応させ、色相の違いをハッチングの種類の違いで示している。図１３、１５−２２についても同様である）。なお、コーティングの厚みの違いと色の組み合わせを自由に設定できるようにしてもよい。
プレビュータブ１２０７は、プレビュー画面をカラー表示させるためのものであり、画像データボタン１２０２で指定された画像データに対応する画像が表示エリア１２０８に表示される。その際、プレビュー画像生成部１１０３がコーティング画像データを用いて生成した、画像領域ごとのコーティング厚の違いを色相の違いで表現した厚み表示画像データに対応する画像１２３０を表示する。プレビュー画像生成部１１０３は、具体的には、コーティング画像データを用いて、画像領域ごとのコーティング厚の違いを、赤色、緑色、黄色、および青色の少なくともいずれか２色で表現した厚み表示画像データを生成する。特に、プレビュー画像生成部１１０３は、厚み表示画像データとして、コーティング厚が増えるにつれて、青から緑、緑から黄色、黄色から赤へと変化する画像データを生成し、ディスプレイ２０５に表示させる。厚み表示画像データは、コーティング厚の違いを、さらに無彩色と有彩色の違いで表現したデータでもよい。例えば、コーティング印刷を行わない領域（コーティング厚が０の領域）を無彩色、例えば黒または白で表示してもよい。複数のコーティング厚さ領域を、より明確に表現するために、コーティング領域の輪郭をコーティング領域と別の色または濃さで縁取ってもよい。図１２の例では、画像１２３０のうち、５０μｍ厚でコーティング印刷されるべきオブジェクト１２３０ｒが赤、４０μｍ厚でコーティング印刷されるべきオブジェクト１２３０ｙが黄色、３０μｍ厚でコーティング印刷されるべきオブジェクト１２３０ｇが緑、２０μｍ厚でコーティング印刷されるべきオブジェクト１２３０ｂが青で表示され、それ以外の部分はコーティング印刷を行わない領域であるので、白で表示されている。これらの色相は、厚み階調表示部１２０９における各領域に表示された色と、コーティング厚みごとに同一の色となっている。本実施形態における画像１２３０はオブジェクトごとに所定のコーティング厚みが指定されているが、同一オブジェクト内にコーティング厚みが異なる領域が存在するように指定してもよく、その場合には領域ごとにコーティング厚みに対応した色相で表示されることはいうまでもない。
ここでは、コーティング印刷用の画像データに対応する画像のみを表示しているが、下地印刷用の画像データを読み出し、下地画像を、コーティング画像と同時に表示させてもよい。例えば、コーティング画像を透過表示して、下地画像と重畳表示してもよいし、コーティング画像と下地画像とを並列表示してもよい。さらには、下地画像とコーティング画像とを一定時間ごとに切り替え表示してもよい。
プレビュータブ１２２９は、プレビュー画面をグレースケール表示させるためのものであり、図１３に示すように画像データボタン１２０２で指定された画像データに対応する画像１３３０が表示エリア１２０８に表示される。
厚さしきい値タブ１２１２は、コーティング厚調整用の閾値（画素値）を変更する画面を表示エリア１２０８に表示させるためのタブである。
リストボタン１２１３は、ジョブの履歴とジョブリストを表示するボタンである。開くボタン１２１４は、保存したジョブを開いてジョブウィンドウに表示するボタンである。保存ボタン１２１５は、作成したジョブを保存するボタンである。新規ボタン１２１６は、新規ジョブを作成するボタンである。送信ボタン１２１７は、ジョブウィンドウに表示しているジョブをインクジェット記録装置２０３に送信するボタンである。
機能ボタン１２１８は、インクジェット記録装置２０３の電源オンオフや、活性エネルギー線照射装置４２４の照射時間の設定や、省エネ設定、給紙テスト枚数の設定等を行なうためのボタンである。
モニタボタン１２１９は、インクジェット記録装置２０３の状態をモニタするためのボタンであり、このボタンの選択により、エラー発生の有無やエラー発生個所、エラーコード、インクの残量などを表示する。
送信ボタン１２１７によってジョブのインクジェット記録装置２０３に対する送信が成功すると、アクションボタン１２２１〜１２２８がカラー表示になり、選択可能となる。ここで、給紙テストボタン１２２１は、印刷はせず、設定したシート枚数の給紙を行なうためのボタンである。テストボタン１２２２は、全ての処理を１シートだけ行なうボタンである。スタートボタン１２２３は、印刷処理を開始するためのボタンである。ストップボタン１２２４は、印刷処理を停止するためのボタンである。数値入力ボタン１２２５は、数値入力画面が表示させて、シート枚数を入力するためのボタンである。カウントクリアボタン１２２６は、印刷処理済み枚数またはシート枚数をクリアするためのボタンである。カウント方法切換ボタン１２２７は、印刷処理済み枚数の表示形式を加算または減算の間で切り換えるためのボタンである。カウントリピート設定ボタン１２２８は、カウントリピートのオン、オフを設定するボタンであり、オンの場合、セット部数分の印刷処理が完了したらインクジェット記録装置２０３が自動で停止する。オフの場合、印刷処理が完了したらインクジェット記録装置２０３の処理済み部数をクリアし、ウェイティングモードに入る。
＜処理の流れ＞  ユーザインタフェース１２００を用いた情報処理装置２０１の処理の流れについて、図１４のフローチャートを用いて説明する。
まず、ステップＳ１４０１では、インクジェット記録装置２０３用の制御アプリケーションを立ち上げる。これによりユーザインタフェース１２００が表示される。次にステップＳ１４０３において、ユーザインタフェース１２００への入力に基づいて、用紙サイズ、コーティング印刷用画像データ、レジストレーションマークデータを指定する。さらにステップＳ１４０５では、仕上がり厚さ設定用スライドバー１２０６におけるハンドル１２６１の位置に応じて厚み上限設定部１１０７が厚さの上限値を設定する。
ステップＳ１４０７では、厚さしきい値タブ１２１２を選択して、コーティング厚調整用の閾値（画素値）を変更する画面を表示エリア１２０８に表示させる。図１５〜図２０は、コーティング厚調整用画面の例を示す図である。図１５は、仕上がり厚さ設定用スライドバー１２０６を用いて厚さ上限値を２０μｍとした場合のコーティング厚調整用画面１５０１を示している。厚さ上限値を２０μｍとした場合、コーティング印刷では、コーティング無し（０μｍ）と２０μｍの２階調となる（厚み階調表示部１２０９のカラー表示は、２０μｍ厚の領域を赤色の領域１２０９ｒで、コーティング印刷を行なわない領域を白色の領域１２０９ｗで表示している）。したがって、一つの画素値を閾値として決めれば、画像データボタン１２０２で指定された画像データにおいて、その閾値よりも大きな画素値を有する画像領域に対してのみ２０μｍ厚のコーティング印刷を行なう。この図では、閾値表示欄１５０２には、画素値１２７（濃度５０％）が表示されているが、スライドバー１５０３上でハンドル１５０４の位置を変えることにより、閾値としての画素値が０（濃度１００％）〜２５５（濃度０％）の間で変化する。さらに、閾値の値に応じて、閾値表示部１５０２の背景の濃度が変化する。閾値表示部１５０２の背景の濃度が濃い場合には、コーティングが厚い領域が小さくなり、閾値表示部１５０２の背景の濃度が薄い場合には、コーティングが厚い領域が大きくなる。
なお、ここでは、最低厚さを２０μｍとしているが、需要に応じて１０μｍを含むように設定してもよい。また、本実施形態ではコーティング厚が１０μｍ区切りに設定されているが、それよりも細かく（例えば５μｍごと）、あるいは粗く（例えば２０μｍごと）てもよいし、必ずしも等間隔でなくてもよい。また、段階ごとのコーティング厚をユーザが任意に設定できるようにしてもよい。
ハンドル１５０４を図中左に移動させて閾値を０とすれば、閾値０以下の画像領域は存在しないので、コーティング印刷は行なわないことになる。一方、ハンドル１５０４を図中右に移動させて閾値を２５４とすれば、空白（画素値２５５）として設定されている画像領域を除いた画像全体が輝度値２５４以下（濃度０％以上）なので、基材の全面空白として設定されている画像領域を除いた部分に２０μｍのコーティング印刷を行なうことになる。コーティング画像は通常、「何も印刷しない」空白部分として設定された画素があり、空白部分は画素値２５５と設定されている一方で、閾値は最大２５４までしか設定できない。すなわち閾値をどのように設定しても（最大としても）、空白部分にはコーティングが行われないようになっている。したがって２５４にしても通常、全面コーティングにはならない。
図のように、ハンドル１５０４が真ん中にあり閾値が１２７の場合には、画素値１２７以下の画像領域のみを２０μｍ厚でコーティング印刷する。スライドバー１５０３の上方には、グラデーション表示部１５０７とコーティング厚表示部１５０８と、コーティング厚切替位置表示部１５０９と色相表示部１５１０が表示されている。コーティング厚切替位置表示部１５０９は、常にハンドル１５０４の位置の真上に位置しており、ハンドル１５０４の移動に合わせて左右に移動する。つまり、ハンドル１５０４を左に動かすと、コーティング厚表示部１５０８におけるコーティング厚２０μｍのエリア（左側）が小さくなり、コーティング厚０μｍのエリア（右側）が大きくなる。一方、ハンドル１５０４の位置を変えても、グラデーション表示部１５０７の背景は変化しないが、色相表示部１５１０は、左から、コーティング厚２０μｍを表す赤色と、コーティング厚０μｍを表す白色とが表示され（すなわち厚み階調表示部１２０９と同一の色が同一の順序で表示され）、各色（こでは赤と白）の領域の大きさが変化する。これにより、コーティング厚の切替位置が、プレビュー画面中のどの画素値に対応する位置になるか、どの濃さの領域にどのコーティング厚が適用されるか、をユーザが直感的に認識可能となる。
ＧＵＩ表示制御部１１０１およびプレビュー画像生成部１１０３は、このようにコーティング厚を決められた画像領域をプレビュー表示に反映させてもよい。例えば、コーティング厚の違いを、色の違いとしてプレビュー表示に反映させることが好ましい。
プラスボタン１５０５またはマイナスボタン１５０６を選択することにより、ハンドル１５０４は、右または左に移動し、閾値表示欄１５０２の閾値は１ずつ増減する。なお、閾値表示欄１５０２を閾値の入力欄として、直接閾値を数値入力できる構成でもよい。
図１６は、仕上がり厚さ設定用スライドバー１２０６を用いて厚さ上限値を３０μｍとした場合のコーティング厚調整用画面１６０１を示している。厚さ上限値を３０μｍとした場合、コーティング印刷では、最大で、コーティング無し（０μｍ）と２０μｍと３０μｍの３階調となる（厚み階調表示部１２０９のカラー表示は、３０μｍ厚の領域を赤色の領域１２０９ｒで、２０μｍ厚の領域を青色の領域１２０９ｂで、コーティング印刷を行なわない領域を白色の領域１２０９ｗで表示し、色相表示部１５１０にも厚み階調表示部１２０９と同一の色が同一の順序で表示される）。したがって、２つの画素値を閾値として決めることができる。図１６のように、ハンドル１５０４で定義される閾値が画素値８５で、ハンドル１６０４で定義される閾値が画素値１７０の場合には、画像データ中、画素値８５以下の画像領域を３０μｍ厚でコーティング印刷し、画素値８５より大きく１７０未満の画像領域を２０μｍ厚でコーティング印刷し、画素値が１７０より大きい画像領域はコーティング印刷を行なわない。このようにして、画像データで示されたコーティング画像中、どの領域にどの程度の厚みでコーティング印刷を行なうかを、調整することができる。この場合、カラーのプレビュー画面では、画素値８５以下の画像領域を「赤」で表示し、画素値８５より大きく１７０未満の画像領域を「青」で表示する。画素値が１７０より大きいコーティング印刷を行なわない画像領域は「白」で表示する。カラーのプレビュー画面のコーティング厚と色の対応関係は、厚み階調表示部１２０９のものと一致する。
図１７〜図２１は、仕上がり厚さ設定用スライドバー１２０６を用いて厚さ上限値を４０μｍ〜８０μｍとした場合のコーティング厚調整用画面１７０１〜２１０１を示している。これらの図から分かるとおり、仕上がり厚さの階調数が増えると、その階調数に応じて閾値が増えるため、閾値を決めるためのスライドバーおよびハンドルも増える。具体的には階調数よりも１減算した数のスライドバーおよびハンドルが表示される。また、厚み階調表示部１２０９には階調数と同数のカラー表示により、階調ごとに異なる色で表示する、図１７〜２１において、１２０９ｒは赤色、１２０９ｍはマゼンタ、１２０９ｏｒはオレンジ、１２０９ｙは黄色、１２０９ｇは緑色、１２０９１ｂは水色、１２０９ｂは青色、１２０９ｗは白色で各々表示する。また、各画面の色相表示部１５１０にも厚み階調表示部１２０９と同一の色が同一の順序で表示される。また、各々の画面からカラーのプレビュー画面に切り替えると、各々のコーティング厚でコーティングされるべき領域ごとに異なる色相で表示され、そのコーティング厚と色の対応関係は、厚み階調表示部１２０９のものと一致する。
図２２は、図２１において、ハンドル１６０４を、ハンドル１５０４よりも左に移動させた場合の表示画面２２０１の変化を示す図である。ハンドル１６０４を、ハンドル１５０４よりも左に移動させると、ハンドル１６０４が規定する閾値が、ハンドル１５０４が規定する閾値以下になる。これにより、ハンドル１５０４が規定する閾値より大きく、ハンドル１６０４が規定する閾値以下となる画素値が存在しなくなる。結果的に、厚さ７０μｍの画像領域（色相表示部１５１０においては、マゼンタで表示した部分）が消滅し、実質的にコーティング厚さの階調は、０μｍ、２０μｍ、３０μｍ、４０μｍ、５０μｍ、６０μｍ、および８０μｍの７階調に減ってしまう。この状態でカラーのプレビュー画面に切り替えると、この７階調に各々相当するコーティング厚でコーティングされるべき領域ごとに異なる色相で表示される。同様にして、例えば上限値８０μｍとしつつ、０μｍ、３０μｍ、５０μｍ、および８０μｍの４階調とするなど、非常に多様なコーティング厚さ分布を簡単に実現することができ、その階調数に応じた色数でのプレビュー表示を行うことができる。
ステップＳ１４０９では、ステップＳ１４０３で指定されたコーティング画像データにステップＳ１４０７によって設定された厚さデータを統合して、画像領域ごとのコーティング厚の違いを色相の違いで表現した厚み表示画像データを生成する。
ステップＳ１４１１では、ＧＵＩ表示制御部１１０１が、厚み表示画像データを用いて、プレビュー画面をディスプレイ２０５に表示させる。
ステップＳ１４１３では、画像編集アプリケーション呼出部１１０４が画像データを編集するためのアプリケーションを呼出すことにより、プレビュー画面に表示された画像に対して、必要に応じて編集を加える。例えば、コーティング領域を大きくしたり小さくしたり位置をずらしたりといった編集を行なうこともできる。
ステップＳ１４１５では、指示に応じて印刷装置にジョブを送信する。
本実施形態においては、設定された最大厚みに対し、閾値で区分される各階調の厚みが自動決定される。しかし、このような形態に限られず、閾値で区分される各階調に対し、任意の厚みが設定できるようにしてもよい。具体的には、厚みの設定をクリアするなどして設定が無い状態から、画素値が小さいほど厚みが大きくなるように、任意の数値を順次設定できるようにしてもよい。また、図２１のようにあらかじめ設定された各厚みを選択し、任意の数値に変更可能としてもよい（このとき、画素値が小さいほど厚みが大きくなるように、数値設定可能範囲を制限してもよい）。この変形例によれば、画素値が小さいほど厚みを大きくして美しい階調を得ながら、各々の厚みが自由に設定でき、表現の自由度が向上する。
以上、本実施形態によれば、ユーザが、画像における領域ごとのコーティング厚を容易に把握、認識することができ、簡易かつ直感的にコーティング厚さを確認することができる。
本実施形態においては、情報処理装置２０１とインクジェット記録装置２０３との間にネットワーク２０２が介在している構成について説明した。しかし、本発明はこれに限定されるものではなく、情報処理装置２０１がダイレクトにインクジェット記録装置２０３に接続されてもよい。すなわち、記録装置の制御にネットワークを介しているか否かにかかわらず採用可能である。
［第３実施形態］
次に本発明の第３実施形態に係るインクジェット記録装置２３００について、図２３を用いて説明する。図２３は、本実施形態に係るインクジェット記録装置２３００の外観を示す図である。本実施形態に係るインクジェット記録装置２３００は、上記第２実施形態と比べると、図１２に示したユーザインタフェース１２００を表示するディスプレイ２３０１を有する点で異なる。その他の構成および動作は、第２実施形態と同様であるため、同じ構成および動作については同じ符号を付してその詳しい説明を省略する。
本実施形態によれば、ユーザ２３５０は、インクジェット記録装置２２００を直接操作して、簡易かつ直感的に、多様なコーティング厚さを認識することができる。
［他の実施形態］  以上、実施形態を参照して本願発明を説明したが、本願発明は上記実施形態に限定されるものではない。本願発明の構成や詳細には、本願発明の範疇で当業者が理解し得る様々な変更をすることができる。また、それぞれの実施形態に含まれる別々の特徴を如何様に組み合わせたシステムまたは装置も、本発明の範疇に含まれる。
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ（Ｗｏｒｌｄ  Ｗｉｄｅ  Ｗｅｂ）サーバも、本発明の範疇に含まれる。特に、少なくとも、上述した実施形態に含まれる処理ステップをコンピュータに実行させるプログラムを格納した非一時的コンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）は本発明の範疇に含まれる。
【図１】
2019168205.tif 000003
【図２】
2019168205.tif 000004
【図３】
2019168205.tif 000005
【図４】
2019168205.tif 000006
【図５】
2019168205.tif 000007
【図６】
2019168205.tif 000008
【図７】
2019168205.tif 000009
【図８】
2019168205.tif 000010
【図９】
2019168205.tif 000011
【図１０】
2019168205.tif 000012
【図１１】
2019168205.tif 000013
【図１２】
2019168205.tif 000014
【図１３】
2019168205.tif 000015
【図１４】
2019168205.tif 000016
【図１５】
2019168205.tif 000017
【図１６】
2019168205.tif 000018
【図１７】
2019168205.tif 000019
【図１８】
2019168205.tif 000020
【図１９】
2019168205.tif 000021
【図２０】
2019168205.tif 000022
【図２１】
2019168205.tif 000023
【図２２】
2019168205.tif 000024
【図２３】
2019168205.tif 000025
【図２４】
2019168205.tif 000026
【図２５】
2019168205.tif 000027
【図２６】
2019168205.tif 000028
【図２７】
2019168205.tif 000029
【図２８】
2019168205.tif 000030
【図２９】
2019168205.tif 000031
【図３０】
2019168205.tif 000032
【図３１】
2019168205.tif 000033
【図３２】
2019168205.tif 000034
【図３３】
2019168205.tif 000035
【図３４】
2019168205.tif 000036
【図３５】
2019168205.tif 000037
【国際調査報告】
2019168205.tif 000038
2019168205.tif 000039
2019168205.tif 000040